(57)【要約】【課題】自動車玩具を観賞する際に、収納された自動車玩具の外観を見ながらその自動車玩具に関連する効果音を効率よく聞くことができる収納ケース装置を提供する。【解決手段】収納ケース装置11は、台座15と、この台座15上の自動車玩具を覆う透明ケース16とを備える。台座15内には、自動車玩具に関連する効果音を発するスピーカ17を設ける。台座15の上面および下面には、スピーカ17と対向するように上面側放音孔21および下面側放音孔を設ける。台座15には、オーディオ機器を接続可能なオーディオ出力端子を設ける。【選択図】図１
2009066261.tif 000002
【特許請求の範囲】
【請求項１】
自動車玩具が出し入れ可能に収納される収納ケース装置であって、
前記自動車玩具が上面上に載置される台座と、
この台座に取り付けられ、前記台座上の自動車玩具を覆う透明ケースと、
前記台座内に配設され、前記自動車玩具に関連する効果音を発するスピーカと、
前記台座の上面に形成され、前記スピーカと対向する上面側放音孔と、
前記台座の下面に形成され、前記スピーカと対向する下面側放音孔と
を備えることを特徴とする収納ケース装置。
【請求項２】
オーディオ機器が接続されるオーディオ出力端子を備える
ことを特徴とする請求項１記載の収納ケース装置。
【請求項３】
音発生用操作スイッチと、電源オンオフ用操作スイッチとを備え、
前記音発生用操作スイッチ、前記電源オンオフ用操作スイッチおよびオーディオ出力端子が台座の側面に並んで位置する
ことを特徴とする請求項２記載の収納ケース装置。
【請求項４】
台座は、周側面に嵌合受部を有するとともに、下面に係合受部を有し、
透明ケースは、前記嵌合受部に嵌合する開口端部を有するとともに、その開口端部の内面に突設され前記係合受部との係合により前記嵌合受部と前記開口端部との嵌合状態を保持する係合爪部を有する
ことを特徴とする請求項１ないし３のいずれか一記載の収納ケース装置。
【発明の詳細な説明】
【技術分野】
【０００１】
本発明は、ミニカー等の自動車玩具が出し入れ可能に収納される収納ケース装置に関するものである。
【背景技術】
【０００２】
従来から、自動車の形状を模した小型の自動車玩具（ミニカー等）は、子供から大人まで幅ひろい層に人気があり、その種類も豊富である。例えば、自動車形状をなす車体がその前方部と後方部との間で分離・合体する前方パーツと後方パーツとで構成され、前方パーツおよび後方パーツのいずれか一方が自動車の車種を識別させ得る形態に形成されているとともに異なる車種の形態からなるパーツと交換することを前提として形成された自動車玩具まである（例えば、特許文献１参照）。
【０００３】
そして、このような自動車玩具が出し入れ可能に収納される収納ケース装置としては図６に示すものがあり、この収納ケース装置１は、自動車玩具２が上面上に載置される略板状の台座３と、台座３に粘着テープ（図示せず）で固定され台座３上の自動車玩具２を覆う透明ケース４とにて構成されている。
【特許文献１】実用新案登録第３０２８４６０号公報
【発明の開示】
【発明が解決しようとする課題】
【０００４】
しかしながら、上記従来の収納ケース装置１は、単に自動車玩具２を収納するものに過ぎないため、自動車玩具２を収納ケース装置１内に収納して観賞する場合、収納された自動車玩具２の外観を見て楽しむしかなかった。
【０００５】
本発明は、このような点に鑑みなされたもので、自動車玩具を観賞する際に、収納された自動車玩具の外観を見ながら、その自動車玩具に関連する効果音を効率よく聞くことができる収納ケース装置を提供することを目的とする。
【課題を解決するための手段】
【０００６】
請求項１記載の収納ケース装置は、自動車玩具が出し入れ可能に収納される収納ケース装置であって、前記自動車玩具が上面上に載置される台座と、この台座に取り付けられ、前記台座上の自動車玩具を覆う透明ケースと、前記台座内に配設され、前記自動車玩具に関連する効果音を発するスピーカと、前記台座の上面に形成され、前記スピーカと対向する上面側放音孔と、前記台座の下面に形成され、前記スピーカと対向する下面側放音孔とを備えるものである。
【０００７】
請求項２記載の収納ケース装置は、請求項１記載の収納ケース装置において、オーディオ機器が接続されるオーディオ出力端子を備えるものである。
【０００８】
請求項３記載の収納ケース装置は、請求項２記載の収納ケース装置において、音発生用操作スイッチと、電源オンオフ用操作スイッチとを備え、前記音発生用操作スイッチ、前記電源オンオフ用操作スイッチおよびオーディオ出力端子が台座の側面に並んで位置するものである。
【０００９】
請求項４記載の収納ケース装置は、請求項１ないし３のいずれか一記載の収納ケース装置において、台座は、周側面に嵌合受部を有するとともに、下面に係合受部を有し、透明ケースは、前記嵌合受部に嵌合する開口端部を有するとともに、その開口端部の内面に突設され前記係合受部との係合により前記嵌合受部と前記開口端部との嵌合状態を保持する係合爪部を有するものである。
【発明の効果】
【００１０】
請求項１に係る発明によれば、台座内に配設され自動車玩具に関連する効果音を発するスピーカと、台座の上面に形成されスピーカと対向する上面側放音孔と、台座の下面に形成されスピーカと対向する下面側放音孔とを備える構成であるから、自動車玩具を観賞する際に、収納された自動車玩具の外観を見ながら、その自動車玩具に関連する効果音を効率よく聞くことができ、よって例えば自動車マニア等に多大な満足感を与えることができる。
【００１１】
請求項２に係る発明によれば、オーディオ機器をオーディオ出力端子に接続してオーディオ機器から効果音を発生させることで、より高音質な効果音を聞くことができる。
【００１２】
請求項３に係る発明によれば、音発生用操作スイッチ、電源オンオフ用操作スイッチおよびオーディオ出力端子が台座の側面に並んで位置するため、操作し易く、使い勝手が良好である。
【００１３】
請求項４に係る発明によれば、台座の係合受部と透明ケースの係合爪部との係合によって台座の嵌合受部と透明ケースの開口端部との嵌合状態を保持できるため、従来必要であった粘着テープが不要で、粘着テープの劣化による透明ケースの汚れを防止できる。
【発明を実施するための最良の形態】
【００１４】
本発明の収納ケース装置の一実施の形態を図面を参照して説明する。
【００１５】
図１ないし図３において、11は収納ケース装置で、この収納ケース装置11内には、小型の自動車玩具12が出し入れ可能に収納される。自動車玩具12は、自動車の形状を模した金属製のミニカー等である。なお、自動車玩具12の車体13の下面中央部には、ねじ用孔部（図示せず）が形成されている。
【００１６】
収納ケース装置11は、自動車玩具12が上面上に載置される略板状で中空状の台座15と、台座15に脱着可能に取り付けられ台座15上の自動車玩具12を覆う外形略直方体状の透明ケース16と、台座15内に配設され自動車玩具12に関連する効果音（エンジン音等）を発する略円形板状で薄型のスピーカ17とを備えている。
【００１７】
台座15は、略中央にねじ挿通用孔（図示せず）を有し、このねじ挿通用孔は、台座15の上面略中央に固着された板部材18のねじ用孔19に連通している。そして、固定具である固定ねじ20が台座15のねじ挿通用孔および板部材18のねじ用孔19に挿通されて自動車玩具12の車体13のねじ用孔部に螺合されることにより、自動車玩具12が台座15に対して固定されている（図３参照）。
【００１８】
台座15の上面における長手方向一端側には、略円形状の複数の上面側放音孔21が台座15内のスピーカ17と対向するように形成されている。図３に示されるように、複数の上面側放音孔21の一部は、台座15に固定された自動車玩具12によって覆われないようになっている。
【００１９】
一方、台座15の下面における長手方向一端側には、スピーカ17からの効果音が外部つまり収納ケース装置11外へ効果的に発せられるように、互いに平行な長孔状の複数の下面側放音孔22が台座15内のスピーカ17と対向するように形成されている。すなわち、台座15の下面における長手方向両端側には凹部分23が形成され、一方の凹部分23に３本の長孔状の下面側放音孔22がスピーカ17と対向して形成されている。
【００２０】
透明ケース16は、台座15の周端部に嵌脱可能に嵌合する下面開口状のもので、略矩形状の天板部26と、天板部26の側縁から下方に向って突出する一対の側板部27と、天板部26の端縁から下方に向って突出する一対の端板部28とにて構成されている。
【００２１】
そして、互いに離間対向する両側板部27のうちの一方の側板部27の下端部には切欠部29が形成されており、図２に示すように台座15の一側面にのみ形成された露出部30は、透明ケース16が台座15に取り付けられてもその切欠部29によって外部に露出するようになっている。
【００２２】
また、図４に示すように、透明ケース16は、台座15の周側面の嵌合受部33に嵌脱可能に嵌合する開口端部34を下端部に有している。この開口端部34は、両側板部27の下端部と両端板部28の下端部とにて構成されている。さらに、透明ケース16は、開口端部34の内面に突設され台座15の下面の係合受部32との係合により嵌合受部33と開口端部34との嵌合状態を保持する係合爪部31を有している。すなわち、台座15の両凹部分23の下面には、透明ケース16の端板部28の下端部内面に一体に突設された係合爪部31と係脱可能に係合当接する係合受部32が形成されている。そして、透明ケース16の２つの係合爪部31と台座15の２つの係合受部32との係合により、嵌合受部33と開口端部34との嵌合状態を保持され、透明ケース16が台座15から不用意に取り外されないようになっている。
【００２３】
なお、透明ケース16を台座15から取り外す際には、図４の２点鎖線で示すように、透明ケース16の端板部28の下端側を外方に向けて弾性変形させることにより、係合爪部31を係合受部32の下方位置から離して、係合爪部31と係合受部32との係合を解除すればよい。
【００２４】
さらに、図５に示すように、スピーカ17には電子回路等からなる音源回路35が電気的に接続され、この音源回路35には、音発生用操作スイッチ36と、電源オンオフ用操作スイッチ37と、電源である薄型の電池（ボタン電池等）38と、オーディオ機器（図示せず）が接続コードを介して接続されるオーディオ出力端子39とがそれぞれ電気的に接続されている。音源回路35、スピーカ17および電池38は台座15内にそれぞれ配設され、電池38は開閉蓋40を台座15から取り外すことで交換可能となっている。
【００２５】
音発生用操作スイッチ36、電源オンオフ用操作スイッチ37およびオーディオ出力端子39は、図２に示されるように、台座の一側面のうち透明ケース16で覆われずに外部に露出した部分に一直線上に並んで位置している。すなわち、台座15の露出部30には、一方側から他方側に向って順に、押ボタンである音発生用操作スイッチ36、切換スイッチである電源オンオフ用操作スイッチ37、および１つのオーディオ出力端子39が横方向に並設されている。
【００２６】
そして、電源オンオフ用操作スイッチ37がオンに切り換えられた状態で、音発生用操作スイッチ36が押されると、音源回路35の制御により自動車玩具12に関連する効果音が台座15内のスピーカ17から設定時間、例えば３５秒間、出力され、台座15の上下面の放音孔21，22を介して外部へ放出される。
【００２７】
なお、自動車玩具12に関連する効果音とは、予め録音した実際の車のエンジン音等で、すなわち例えば停止時のアイドリング音や走行時の走行音等である。
【００２８】
このように、上記収納ケース装置11によれば、自動車玩具12を台座15上に載せて透明ケース16で覆った状態、つまり自動車玩具12を収納ケース装置11内に収納した状態で、電源オンオフ用操作スイッチ37をオンに切り換えて、音発生用操作スイッチ36を押し操作すると、スピーカ17から自動車玩具12に関連する効果音、例えばエンジン音等が発生するため、自動車玩具12を観賞する際に、収納された自動車玩具12の外観を見ながら、その自動車玩具12に関連する効果音を効率よく聞くことができ、よって例えば自動車マニア等に多大な満足感を与えることができる。
【００２９】
また、台座15の露出部30に２つの操作スイッチ36，37のほか、オーディオ出力端子39が設けられているため、既存のオーディオ機器をオーディオ出力端子39に接続してオーディオ機器から効果音を発生させることで、より高音質な効果音を聞くことができ、より良い音でエンジン音等を楽しむことができる。
【００３０】
さらに、音発生用操作スイッチ36、電源オンオフ用操作スイッチ37およびオーディオ出力端子39が台座15の側面の露出部30に一直線上に並んで位置しているため、操作し易く、使い勝手が良好である。
【００３１】
また、台座15の係合受部32と透明ケース16の係合爪部31との係合によって台座15の嵌合受部33と透明ケース16の開口端部34との嵌合状態を保持できるため、従来必要であった粘着テープが不要で、粘着テープの劣化による透明ケースの汚れを防止できる。
【００３２】
なお、上記実施の形態では、台座15の下面に長孔状の下面側放音孔22が形成された構成について説明したが、例えば台座15の上面の上面側放音孔21と同じように、台座15の下面に略円形状の複数の下面側放音孔をスピーカ17に対応して設けるようにしてもよい。
【００３３】
また、台座15に操作スイッチ36，37を設けた構成には限定されず、例えばリモコン操作で自動車玩具に関連する効果音を発する構成でもよい。
【００３４】
さらに、音発生用操作スイッチ36の操作で一定の効果音を発する構成には限定されず、例えば音発生用操作スイッチ36の操作に応じて異なる効果音がでる構成でもよい。また、各種の効果音に対応する音発生用操作スイッチを複数設けるようにしてもよい。
【図面の簡単な説明】
【００３５】
【図１】本発明の一実施の形態に係る収納ケース装置の上方側からみた斜視図である。
【図２】同上収納ケース装置の下方側からみた斜視図である。
【図３】同上収納ケース装置内に自動車玩具を収納した状態を示す斜視図である。
【図４】同上収納ケース装置の要部断面図である。
【図５】同上収納ケース装置の音発生部のブロック図である。
【図６】従来の収納ケース装置内に自動車玩具を収納した状態を示す斜視図である。
【符号の説明】
【００３６】
11    収納ケース装置
12    自動車玩具
15    台座
16    透明ケース
17    スピーカ
21    上面側放音孔
22    下面側放音孔
31    係合爪部
32    係合受部
33    嵌合受部
34    開口端部
36    音発生用操作スイッチ
37    電源オンオフ用操作スイッチ
39    オーディオ出力端子
【図１】
2009066261.tif 000003
【図２】
2009066261.tif 000004
【図３】
2009066261.tif 000005
【図４】
2009066261.tif 000006
【図５】
2009066261.tif 000007
【図６】
2009066261.tif 000008